(57)【要約】【課題】耕耘装置に機体に走行抵抗を付与する抵抗体と耕耘装置の耕深を調節する橇体とを一体に備える移動農機において、前記抵抗体と橇体とを同時に効率的に作用させることができるようにする。【解決手段】耕耘装置５に、地中に没入して機体に走行抵抗を付与する抵抗体１６と、接地しながら耕耘装置５の耕深を調節する橇体１６とを一体に固設するにあたり、前記抵抗体１６を橇体２２よりも下方に突出させたことによって、当該抵抗体１６により機体に適切な走行抵抗を付与しながら、同時に橇体２２により耕耘装置５の所望の耕深を維持できるように構成し、且つ抵抗体１６の一回の高さ調節により抵抗体１６と橇体２２とを所望の耕耘作用状態に同時に設定できるようにした。【選択図】図２
2007295812.tif 000002
【特許請求の範囲】
【請求項１】
機体の後部に耕耘装置（５）を装着した移動農機において、前記耕耘装置（５）に、地中に没入して機体に走行抵抗を付与する抵抗体（１６）と、接地しながら耕耘装置（５）の耕深を調節する橇体（２２）とを一体に設けるにあたり、前記抵抗体（１６）を橇体（２２）よりも下方に突出させたことを特徴とする移動農機。
【請求項２】
抵抗体（１６）に橇体（２２）を固設した請求項１に記載の移動農機。
【発明の詳細な説明】
【技術分野】
【０００１】
本発明は、機体の後部に装着した耕耘装置に、機体に走行抵抗を付与する抵抗体と耕耘装置の耕深を調節する橇体とを一体に備える移動農機に関する。
【背景技術】
【０００２】
従来、機体の後部にロータリ耕耘装置等の耕耘装置を装着した小型移動農機においては、一つの接地具に、機体に走行抵抗を付与する抵抗体と耕耘装置の耕深を調節する橇体とを設けると共に、当該接地具の姿勢を切り換えるだけの簡単な操作で、抵抗体の下端が橇体の下端よりも相対的に下方に位置する状態と、橇体の下端が抵抗体の下端よりも相対的に下方に位置する状態とに切換自在に構成することによって、前記抵抗体を主に使用する状態と、橇体を主に使用する状態とに切り換えることができるようにしたものが知られている（例えば、特許文献１参照）。
【特許文献１】特開平６−１５３６０２号公報（第２−３頁、図１−図２）
【発明の開示】
【発明が解決しようとする課題】
【０００３】
しかし、上述した特許文献１のものは、抵抗体と橇体の何れか一方を主に作用させる状態に切り換えることは可能であるが、両者を同時に効率的に作用させることは困難であり、この不具合を改善することを期待されていた。
【課題を解決するための手段】
【０００４】
本発明は、上記課題を解決することを目的としたものであって、機体の後部に耕耘装置を装着した移動農機において、前記耕耘装置に、地中に没入して機体に走行抵抗を付与する抵抗体と、接地しながら耕耘装置の耕深を調節する橇体とを一体に設けるにあたり、前記抵抗体を橇体よりも下方に突出させたことを第１の特徴としている。
【０００５】
そして、抵抗体に橇体を固設したことを第２の特徴としている。
【発明の効果】
【０００６】
本発明は、耕耘装置に、地中に没入して機体に走行抵抗を付与する抵抗体と、接地しながら耕耘装置の耕深を調節する橇体とを一体に設けるにあたり、前記抵抗体を橇体よりも下方に突出させたことによって、当該抵抗体により機体に適切な走行抵抗を付与しながら、同時に橇体により耕耘装置の所望の耕深を維持することが可能になり、以って抵抗体と橇体を同時に作用させての効率的な耕耘作業が行なえるようになる。
【０００７】
そして、抵抗体に橇体を固設したことによって、前記抵抗体の一回の高さ調節により抵抗体と橇体とを所望の耕耘作用状態に同時に設定することができる。
【発明を実施するための最良の形態】
【０００８】
次に、本発明の実施形態を図面に基づいて説明する。図１は、小型移動農機である歩行型管理機１の側面図であって、この歩行型管理機１は、機体フレームを構成する側面視で略へ字状のミッションケース２が中央に配設してあり、該ミッションケース２の前側下部には、車軸３を軸架して走行車輪４を取付けている。また、ミッションケース２の後側下部には、ロータリ耕耘装置５の耕耘軸６を横架すると共に、該耕耘軸６の外周に複数本の耕耘爪７を植設している。
【０００９】
そして、ミッションケース２の前方に取付けたエンジンフレーム８にエンジン９を搭載してあり、このエンジン９の一側に配設したベルトカバー１０内の図示しないプーリやベルトを介して、当該エンジン９の駆動力をミッションケース２に伝達すると共に、該ミッションケース２に備える変速機構を介して変速した動力を、走行車輪４やロータリ耕耘装置５に伝達できるように構成している。
【００１０】
また、ミッションケース２の上部には、後方に向けて前低後高状のハンドル１１を延出してあり、このハンドル１１をオペレータが把持した状態で歩行型管理機１を走行させながらロータリ耕耘装置５を回転駆動させることによって、所望の耕耘作業を行なうことができるようになっている。
【００１１】
尚、ハンドル１１の把持部１１ａ周辺には、主クラッチレバー１２やエンジンコントロールレバー１３等が設けてあり、主クラッチレバー１２を操作することにより、エンジン９とミッションケース２との間に介設した図示しないテンションクラッチ機構を介して、当該エンジン９とミッションケース２間の動力の断接がなされる。
【００１２】
また、上述したロータリ耕耘装置５を構成する複数本の耕耘爪７の周囲には、この複数本の耕耘爪７の回転による泥土等の飛散を防止すべく、当該耕耘爪７の前側を含む上側、及び両側を覆う略半円弧状のロータリカバー１４を設けると共に、その後側にも基端部１５ａを回動支点として上下回動自在なリヤカバー１５を設けている。
【００１３】
そして、円弧状のロータリカバー１４の後側中央には、機体に走行抵抗を付与する抵抗体１６を固定するホルダー１７を設けると共に、その上部には、歩行型管理機１の移動走行用の尾輪体１８を格納状態で装着できるように構成している。
【００１４】
上述した抵抗体１６は、ロータリ耕耘装置５の耕耘反力によってダッシング現象が起こることを防止するために設けるフラットバーからなる抵抗棒であって、このフラットバーからなる抵抗体１６は、図２及び図３に示すように、その後側上部に複数段の切欠き１６ａを備える一方、これらの切欠き１６ａに選択的に係止して抵抗体１６、及び詳細は後述する橇体２２を所望の高さに調節するロックレバー１９をホルダー１７側に設けている。尚、ロックレバー１９は、引張スプリング２１を介して常時切欠き１６ａとの係止方向に付勢されている。
【００１５】
また、抵抗体１６の先端（下端）側には、耕耘作業中における耕深を安定させるための平面視で船形状、且つ側面視で前上がり傾斜面２２ａを有する橇体２２を固設している。更に詳しくは、抵抗体１６の先端部１６ｂは、橇体２２よりも下方に突出させた状態で一体に固設してあるので、当該抵抗体１６により機体に適切な走行抵抗を付与しながら、同時に抵抗体１６が地中に深く入り込むことを橇体２２により抑制することが可能になると共に、抵抗体１６と橇体２２を軽量且つ安価に一体形成することができる。尚、橇体２２の後側中央に穿設した孔２２ｂを利用して、図４に示す如く移動走行用の尾輪体１８を装着する。
【００１６】
したがって、図１に示す作業形態のように、抵抗体１６と橇体２２とを二点鎖線で示す圃場面Ｇより深く入り込ませて、抵抗体１６の先端部１６ｂが耕耘爪７よりも下方に突出するように高さ調節した場合には、この時抵抗体１６と橇体２２は、主としてダッシング防止手段として作用させることができる。
【００１７】
また、図５に示す作業形態のように、橇体２２の下面を二点鎖線で示す圃場面Ｇに接地させた状態で、抵抗体１６の先端部１６ｂが耕耘爪７先端よりも上方に位置するように高さ調節した場合には、抵抗体１６と橇体２２は耕深調節手段として作用させることができる。
【００１８】
即ち、歩行型管理機１の後部に装着した耕耘装置５に、地中に没入して機体に走行抵抗を付与する抵抗体１６と、圃場面Ｇに接地しながら耕耘装置５の耕深を調節する橇体２２とを一体に設けるにあたり、前記抵抗体１６を橇体２２よりも下方に突出させたことによって、当該抵抗体１６により機体に適切な走行抵抗を付与しながら、同時に抵抗体１６が地中に深く入り込むことを橇体２２により抑制して、耕耘装置５の所望の耕深を維持することが可能になる。また、抵抗体１６に橇体２２を固設したことによって、抵抗体１６の一回の高さ調節により抵抗体１６と橇体２２とを所望の耕耘作用状態に同時に設定することができ、以って抵抗体１６と橇体２２を同時に作用させての効率的な耕耘作業が行なえるようになる。
【図面の簡単な説明】
【００１９】
【図１】抵抗体と橇体をダッシング防止手段として作用させている状態を示す歩行型管理機の側面図。
【図２】抵抗体に橇体を固設した状態を示す側面図。
【図３】図２におけるＡ矢視図。
【図４】尾輪体を装着した移動走行状態を示す歩行型管理機の側面図。
【図５】抵抗体と橇体を耕深調節手段として作用させている状態を示す歩行型管理機の側面図。
【符号の説明】
【００２０】
５    耕耘装置
１６  抵抗体
２２  橇体
【図１】
2007295812.tif 000003
【図２】
2007295812.tif 000004
【図３】
2007295812.tif 000005
【図４】
2007295812.tif 000006
【図５】
2007295812.tif 000007